(57)【要約】【課題】ステーケーブルの径を小さくすることが可能な腐食防止システムを提供すること、及びこの腐食防止システムを常時モニタリングすること。【解決手段】引張部材９で構成されて第１の固定箇所と第２の固定箇所１１の間に延設されたステーケーブルを備えたステーケーブル構造体の腐食防止システム１６において、製造時に腐食防止加工を施していない引張部材９と、該引張部材９で構成したステーケーブルを覆う複数のステーパイプ１７と、所定の平均湿度に保たれた乾燥空気２０を供給する除湿装置１９と、第１の固定箇所、第２の固定箇所１１及びステーパイプ１７の何れかに設けられて所定の乾燥空気供給箇所２２へ除湿装置１９から乾燥空気２０を供給する乾燥空気供給用パイプ２１と、乾燥空気２０を乾燥空気供給用パイプ２１へ送る換気装置２３と、検知手段２４、計測手段２５、制御手段２６及び評価手段２７とを備える構成とした。
2008519920.tif 000002
【特許請求の範囲】
【請求項１】
複数の互いに平行な鋼製の引張部材（９）で構成されて第１の固定箇所（１０）と第２の固定箇所（１１）の間に延設されるとともに、これら第１の固定箇所（１０）及び第２の固定箇所（１１）とそれぞれ対をなす第１の端部（１００）及び第２の端部（１１０）を有しているステーケーブル（８）を備えたステーケーブル構造体（１）の腐食防止システム（１６）において、
製造時に腐食防止加工を施していない前記引張部材（９）と、
該引張部材（９）で構成された前記ステーケーブル（８）を自由に覆う複数のステーパイプ（１７）と、
所定の平均湿度に保たれた乾燥空気（２０）を供給する除湿装置（１９）と、
前記第１の固定箇所（１０）、前記第２の固定箇所（１１）及び前記ステーパイプ（１７）の何れかに設けられて所定の乾燥空気供給箇所（２２）へ前記除湿装置（１９）から乾燥空気（２０）を供給する乾燥空気供給用パイプ（２１）と、
乾燥空気（２０）を前記乾燥空気供給用パイプ（２１）へ送る換気装置（２３）と、
検知手段（２４）、計測手段（２５）、制御手段（２６）及び評価手段（２７）と
を備える構成としたことを特徴とする腐食防止システム。
【請求項２】
前記ステーケーブル構造体（１）が少なくとも１つの第１の構造部（２）及び少なくとも１つの第２の構造部（５）を備え、これら第１及び第２の構造部（２，５）が複数の前記ステーケーブル（８）で互いに接続され、該各ステーケーブル（８）が第１の構造部（２）に設けられた前記第１の固定箇所（１０）と第２の構造部（５）に設けられた前記第２の固定箇所（１１）の間に延設されており、前記少なくとも１つの第１及び第２の構造部（２，５）が少なくとも１つの内部空間（４）を有して構成されている請求項１記載の腐食防止システムにおいて、
前記第１の固定箇所（１０）、前記第２の固定箇所（１１）及び前記ステーパイプ（１７）の何れかに設けられて前記乾燥空気供給箇所（２２）へ前記除湿装置（１９）から乾燥空気（２０）を供給する前記乾燥空気供給用パイプ（２１）を設けるとともに、前記内部空間（４）へ乾燥空気（２０）を導入するための少なくとも１つの前記ステーケーブル（８）を前記第１及び第２の構造部（２，５）に接続したことを特徴とする腐食防止システム。
【請求項３】
前記ステーケーブル構造体（１）を、水平部分を有する前記第１の構造部（２）、及び支柱を有する少なくとも１つの第２の構造部（５）を備えて構成するとともに、これら第１及び第２の構造部（２，５）を、第１の構造部（２）の上下それぞれに位置する上部（７）及び下部（６）を備える構成としたことを特徴とする請求項２記載の腐食防止システム。
【請求項４】
前記ステーケーブル（８）の前記第１及び第２の固定箇所（１０，１１）をそれぞれ第１及び第２の固定箇所ガイド（３０，２９）内に配置したことを特徴とする請求項１〜３の何れか１項に記載の腐食防止システム。
【請求項５】
前記第２の固定箇所ガイド（２９）の一端を乾燥空気供給用パイプ（２１）に、他端を前記ステーケーブル（８）を覆うステーパイプ（１７）に接続して、前記第２の固定箇所ガイド（２９）内に供給される空気を乾燥空気流（３１）として形成しつつ前記ステーパイプ（１７）内で前記ステーケーブル（８）に沿って流通させるとともに、前記第１の固定箇所ガイド（３０）を前記ステーパイプ（１７）に接続するとともに、該第１の固定箇所ガイド（３０）に第１の乾燥空気用排気口（３２）を設けて乾燥空気（２０）をここから排出させることを特徴とする請求項４記載の腐食防止システム。
【請求項６】
前記第１の固定箇所ガイド（３０）に設けられた前記第１の乾燥空気用排気口（３２）を前記ステーケーブル構造体（１）の内部空間（４）と接続させて、前記第１の乾燥空気用排気口（３２）から排出される乾燥空気（２０）を該内部空間（４）に導入するとともに、前記第１の構造部（２）に第２の乾燥空気用排気口（３３）を設けて、乾燥空気（２０）を該第２の乾燥空気用排気口（３３）を通して前記ステーケーブル構造体（１）外方の外気（３４）へ排気させることを特徴とする請求項５記載の腐食防止システム。
【請求項７】
外気から前記ステーパイプ（１７）、前記第１の固定箇所ガイド（３０）及び前記第２の固定箇所ガイド（２９）への水分の浸入を防ぐために、前記換気装置（２３）は、前記ステーケーブル（８）の長さに亘って所定の圧力で乾燥空気（２０）を供給することを特徴とする請求項１〜６の何れか１項に記載の腐食防止システム。
【請求項８】
−少なくとも１つの前記第１の固定箇所ガイド（３０）を、第１、第２及び第３のセンサ（３６，３７，３８）を備えた構成とし、これら第１、第２及び第３のセンサ（３６，３７，３８）が、それぞれ乾燥空気（２０）の湿度、温度及び圧力を計測するとともに、それぞれの計測レベルに応じた第１、第２及び第３の信号（３９，４０，４１）を発生させ、
−前記第１の固定箇所ガイド（３０）の前記第１の乾燥空気用排気口（３２）を、第１の自動空気流量制御弁（４２）を備えた構成とし、該第１の自動空気流量制御弁（４２）を前記第１の固定箇所ガイド（３０）内の空気圧が所定の圧力以上になると開放するように設定し、
−制御ユニット（４３）を設けて、前記ステーパイプ（１７）内の湿度、温度及び圧力の計測レベルにそれぞれ対応する前記第１、第２及び第３の信号（３９，４０，４１）の何れかが所定以上となった場合に、前記ステーパイプ（１７）内の乾燥空気（２０）を循環させる
ことを特徴とする請求項４〜７の何れか１項に記載の腐食防止システム。
【請求項９】
前記ステーケーブル構造体（１）を所定数のステーケーブル群（４４）で構成するとともに、複数の前記乾燥空気供給用パイプ（２１）で前記ステーケーブル群（４４）と同数の乾燥空気供給用パイプ群を形成し、又、これら乾燥空気供給用パイプ群を、第２の自動空気流量制御弁（４５）を備えた主管路を介して前記換気装置（２３）に接続するとともに、前記第２の自動空気流量制御弁４５を調整可能に構成したことを特徴とする請求項２〜８の何れか１項に記載の腐食防止システム。
【請求項１０】
前記ステーケーブル構造体（１）外部の外気（３４）である湿った空気を前記除湿装置（１９）で除湿して乾燥空気（２０）を生成することを特徴とする請求項２〜９の何れか１項に記載の腐食防止システム。
【請求項１１】
前記ステーケーブル（８）を緩衝装置（４６）を備えた構成とした場合に、該緩衝装置（４６）を前記第１の固定箇所ガイド（３０）内に配置したことを特徴とする請求項２〜１０の何れか１項に記載の腐食防止システム。
【請求項１２】
前記ステーケーブル（８）を、群を形成するよう、横方向に互いに連結させず、且つ、前記ステーパイプ（１７）で覆われつつ全長に亘って空気を内包する引張部材（９）を備える構成としたことを特徴とする請求項１〜１１の何れか１項に記載の腐食防止システム。
【請求項１３】
請求項１〜１２の何れかに記載の腐食防止システムを備えた構成としたことを特徴とするステーケーブル構造体（１）。
【発明の詳細な説明】
【技術分野】
【０００１】
本発明は、ステーケーブルを備えた構造体の腐食防止システムに関する。
【背景技術】
【０００２】
ステーケーブルは有利ではあるが唯一の手段ではない。このステーケーブルは、例えば吊り橋、ステーケーブル式橋梁、スタジアムの屋根、建造物、通信塔等の吊架式構造物や支線式構造物に使用されている。
【０００３】
本発明は、上記腐食防止システムを備えた、例えばステーケーブル式橋梁等のステーケーブル構造体にも関している。
【０００４】
ところで、ステーケーブル式橋梁は、通常、
−  例えば少なくとも１つの内部空間を有する金属製構造部材を備えた水平部分、
−  前記水平部分の上部及び下部にそれぞれ相当する第１及び第２の部分を備えた支柱、及び
−  複数の互いに平行な鋼製の引張部材で構成され、水平部分に設けられた固定箇所と前記支柱の第２の部分に設けられた固定箇所の間に延設されたステーケーブル
を備えている。
【発明の開示】
【発明が解決しようとする課題】
【０００５】
しかしながら、長いステーケーブル式橋梁は数百ものステーケーブルから成っており、このような多数のステーケーブルに風が当たることにより、ステーケーブル式橋梁の他の構成部材に負荷がかかってしまう。特に、水平部分及び支柱の機械的な負荷を提言する必要があるが、そのような構造とするとコストが嵩んでしまうという問題がある。
【０００６】
本発明は、風による負荷がステーケーブルの径に依存するという点を考慮してなされたものであり、その１つの目的は、ステーケーブルの径を小さくすることである。
【０００７】
ところが、一般に、ステーケーブル式橋梁における引張部材が使用されている部分にはグリースの塗布やこの塗布層の保護膜による被覆がされており、このようなグリースの塗布やこの塗布層の保護膜による被覆により引張部材の径が大きくなってしまっている。
【０００８】
そして、ステーケーブルを構成している引張部材の径が大きくなると、ステーケーブルの径も大きくなってしまう。
【０００９】
そこで、本発明の他の目的は、上記欠点を克服する腐食防止システムを提供することであり、又、もう１つの目的は、この腐食防止システムを常時モニタリングすることである。
【課題を解決するための手段】
【００１０】
上記目的を達成するため、本発明によれば、製造時に腐食防止加工（例えば、従来のグリースの塗布や保護膜での被覆）を施していない引張部材と、該引張部材で構成したステーケーブルを自由に覆う複数のステーパイプと、所定の平均湿度に保たれた乾燥空気を供給する除湿装置と、第１の固定箇所、第２の固定箇所及びステーパイプの何れかに設けられて所定の乾燥空気供給箇所へ除湿装置から乾燥空気を供給する乾燥空気供給用パイプと、乾燥空気を前記乾燥空気供給用パイプへ送る換気装置と、検知手段、計測手段、制御手段及び評価手段とを備えて構成したことを特徴としている。
【発明の効果】
【００１１】
本発明によれば、ステーケーブルの径を小さくすることが可能な腐食防止システムを提供することが可能であるとともに、この腐食防止システムを常時モニタリングすることができる。
【発明を実施するための最良の形態】
【００１２】
以下に本発明の実施の形態を添付図面に基づいて説明する。
【００１３】
図１はステーケーブルで張架された橋体の側面図、図２は図１における支柱頂部を拡大して示す断面図、図３は図１におけるステーケーブル下部の固定箇所を拡大して示す断面図である。
【００１４】
図１にはステーケーブル構造体１が示されており、このステーケーブル構造体１は多数のステーケーブル８を備えている。そして、これらステーケーブル８は、複数の互いに平行な鋼製の引張部材９（図２）で構成されて第１の固定箇所１０と第２の固定箇所１１の間に延設されるとともに、これら第１の固定箇所１０及び第２の固定箇所１１とそれぞれ対をなす第１の端部１００及び第２の端部１１０を備えている。尚、図を簡略化するため、図には前記引張部材９のうち１本のみを示している。
【００１５】
本発明によれば、腐食防止システム１６は、製造時には恒久的な腐食防止加工（例えば、従来のグリースの塗布や保護膜での被覆）を施していない引張部材９を用いたものであり、
−  引張部材９で構成された腐食防止加工を施していないステーケーブル８を自由に覆う複数のステーパイプ１７、
−  所定の平均湿度に保たれた乾燥空気２０を供給する除湿装置１９、
−  第１の固定箇所１０、第２の固定箇所１１及びステーパイプ１７の何れかに設けられて各乾燥空気供給箇所２２へ除湿装置１９から乾燥空気２０を供給する乾燥空気供給用パイプ２１、
−  乾燥空気２０を乾燥空気供給用パイプ２１へ送る換気装置２３、
及び
−  検知手段２４、計測手段２５、制御手段２６及び評価手段２７
を備えている。
【００１６】
又、場合によってステーケーブル構造体１は、
−  少なくとも１つの第１の構造部２及び
−  少なくとも１つの第２の構造部５
を備え、これら第１及び第２の構造部２，５は複数のステーケーブル８で互いに接続され、各ステーケーブル８は、第１の構造部２に設けられた第１の固定箇所１０と第２の構造部５に設けられた第２の固定箇所１１の間に延設されている。そして、前記少なくとも１つの第１及び第２の構造部２，５は少なくとも１つの内部空間４を有して構成されている。
【００１７】
本発明の好ましい実施の形態においては、各ステーケーブル８は、群を形成するよう、横方向に互いに連結されず、且つ、全長に亘って空気を内包するステーパイプ１７で覆われた引張部材９を備えている。このとき、ステーパイプ１７はこれが覆うステーケーブル８に対して縦方向及び横方向に自由に移動可能である。
【００１８】
本発明によれば、第１の固定箇所１０、第２の固定箇所１１及びステーパイプ１７の何れかに設けられて除湿装置１９から各乾燥空気供給箇所２２へ乾燥空気２０を供給する乾燥空気供給用パイプ２１が設けられるとともに、内部空間４へ乾燥空気２０を導入するために、少なくとも１つのステーケーブル８が第１及び第２の構造部２，５に接続されている。
【００１９】
又、ステーケーブル構造体１をステーケーブル橋梁として構成すれば、このステーケーブル橋梁は、水平部分を有する第１の構造部２、及び支柱を有する少なくとも１つの第２の構造部５を備えている。そして、これら第１及び第２の構造部２，５は第１の構造部２の上下それぞれに位置する上部７及び下部６を含んでいる。
【００２０】
例えば、第１の構造部２は内部空間４を有する構造部材３を含んだ水平部分を備えており、又、構造部材３は金属、コンクリート又はその他の適当な材料から成っている。
【００２１】
本発明によれば、第１の構造部２が担持する、第１の支持板１３で支持された第１の固定ブロック１２を備えた第１の固定箇所１０が設けられるとともに、第２の構造部５が担持する、第２の支持板１５で支持された第２の固定ブロック１４を備えた第２の固定箇所１１が設けられ、この場合、乾燥空気供給用パイプ２１がこの第２の固定箇所１１近傍に位置する各乾燥空気供給箇所２２へ除湿装置１９から乾燥空気２０を案内する。
【００２２】
本発明の好ましい実施の形態によれば、ステーケーブル８の第１及び第２の固定箇所１０，１１はそれぞれ第１及び第２の固定箇所ガイド３０，２９内に収容配置されており、このようにすることで、引張部材９及びその固定箇所がステーケーブル８の全長に亘って固定箇所ガイド３０，２９内に収容することができる。
【００２３】
ここで、例えば、除湿装置１９及び換気装置２３は少なくとも１つの第２の構造部５の頂点部２８に配置される。
【００２４】
又、第２の固定箇所ガイド２９の一端を乾燥空気供給用パイプ２１に、他端をステーパイプ１７に接続させると好ましく、このような接続は、第２の固定箇所ガイド２９内に供給される空気を乾燥空気流３１として形成してステーパイプ１７内でステーケーブル８に沿って流通させることによりなされる。
【００２５】
更に、各第１の固定箇所ガイド３０をステーパイプ１７に接続するとともに、この第１の固定箇所ガイド３０に第１の乾燥空気用排気口３２を設けて乾燥空気２０をここから排出させると好ましい。
【００２６】
又、第１の固定箇所ガイド３０に設けられた第１の乾燥空気用排気口３２を内部空間４に連通させて、第１の乾燥空気用排気口３２から排出される乾燥空気２０を内部空間４に導入させると好ましい。
【００２７】
更に、第１の構造部２に第２の乾燥空気用排気口３３を設けて、乾燥空気２０をこの第２の乾燥空気用排気口３３を通してステーケーブル構造体１外方の外気３４へ排気すると好ましい。
【００２８】
上記の結果、引張部材９及びその固定箇所は当面それらの腐食が防止される。即ち、これらは保管時或いは運搬時には腐食防止がなされている。ここで、内部空間４を含む表面は乾燥空気２０に当たるようになっており、これにより腐食が防止される。
【００２９】
上記のような技術的特徴を有していることにより、ステーケーブル構造体の内部空間の表面やステーケーブル橋梁における水平部分の内部空間の腐食を防止するための他の腐食防止システムが必要ないという利点が得られる。
【００３０】
又、本発明によれば、乾燥空気２０を乾燥空気供給用パイプ２１へ供給する換気装置２３は、外気からステーパイプ１７、第１の固定箇所ガイド３０及び第２の固定箇所ガイド２９への水分の浸入を防ぐために、ステーケーブル８の長さに亘って所定の圧力で乾燥空気２０を供給している。
【００３１】
而して、本実施の形態によれば、
−  少なくとも１つの第１の固定箇所ガイド３０が第１、第２及び第３のセンサ３６，３７，３８を備えており、これら第１、第２及び第３のセンサ３６，３７，３８は、それぞれ乾燥空気２０の湿度、温度及び圧力を計測するとともに、それぞれの計測レベルに応じた第１、第２及び第３の信号３９，４０，４１を発生させる。
−  第１の固定箇所ガイド３０の第１の乾燥空気用排気口３２が第１の自動空気流量制御弁４２を備えており、この第１の自動空気流量制御弁４２は第１の固定箇所ガイド３０内の空気圧が所定の圧力以上になると開放するように設定されている。
−  制御ユニット４３は、ステーパイプ１７内の湿度、温度及び圧力の計測レベルにそれぞれ対応する第１、第２及び第３の信号３９，４０，４１の何れかが所定以上となった際に、ステーパイプ１７内の乾燥空気２０を循環させる。尚、換気装置２３及び除湿装置１９も制御ユニット４３により制御すると好ましい。
【００３２】
上記のように構成することにより、腐食防止システム１６を常時モニタリングすることができる。更に、乾燥空気２０を常に循環させることでステーケーブル内の温度を均一化することもできる。
【００３３】
又、好ましくは、ステーケーブル構造体１は特有な複数のステーケーブル群４４を有しており、複数の乾燥空気供給用パイプ２１は、ステーケーブル群４４と同数の乾燥空気供給用パイプ群を形成している。
【００３４】
そして、これら乾燥空気供給用パイプ群は、第２の自動空気流量制御弁４５を備えた主管路を介して換気装置２３に接続されている。ここで、第２の自動空気流量制御弁４５は調整可能である。
【００３５】
尚、引張部材９は、例えば亜鉛コーティング又はエポキシ被覆がされているか、或いは塗装されている。
【００３６】
而して、好ましい実施の形態において、除湿装置１９は、ステーケーブル構造体１外部の外気３４である湿った空気を除湿して乾燥空気２０にする。又、ステーケーブル８を緩衝装置４６を備えた構成とすれば、この緩衝装置４６を第１の固定箇所ガイド３０内に配置すると好ましい。
【００３７】
更に、第１の固定箇所ガイド３０は、栓（不図示）の付いた排水用パイプ４９を備えているか、又は排水栓（不図示）で閉鎖されていると好ましい。
【００３８】
本発明による腐食防止システム１６によれば、腐食防止の常時のモニタリングが可能であり、以下の３つのレベルの腐食に対する保護が得られる。即ち、
−  乾燥空気２０を連続的に引張部材９周辺に供給する、
−  引張部材９をコーティングしているため、寿命延長が図れる、
及び
−  ステーケーブル８をその全長に亘ってステーパイプ１７、第１の固定箇所ガイド３０及び第２の固定箇所ガイド２９で包囲する。
【００３９】
尚、腐食防止システム１６のメンテナンスは一般に除湿装置１９のフィルタを交換することで行われる。
【００４０】
本発明は、上記のような腐食防止システムを備えたステーケーブル構造体にも関する。
【図面の簡単な説明】
【００４１】
【図１】ステーケーブルで張架された橋体の側面図である。
【図２】図１における支柱頂部を拡大して示す断面図である。
【図３】図１におけるステーケーブル下部の固定箇所を拡大して示す断面図である。
【符号の説明】
【００４２】
１          ステーケーブル構造体
２          ステーケーブル構造体の第１の構造部
３          構造部材
４          内部空間
５          ステーケーブル構造体の第２の構造部
６          下部
７          上部
８          ステーケーブル
９          引張部材
１０        第１の固定箇所
１１        第２の固定箇所
１２        第１の固定ブロック
１３        第１の支持板
１４        第２の固定ブロック
１５        第２の支持板
１６        腐食防止システム
１７        ステーパイプ
１９        除湿装置
２０        乾燥空気
２１        乾燥空気供給用パイプ
２２        乾燥空気供給箇所
２３        換気装置
２４        検知手段
２５        計測手段
２６        制御手段
２７        評価手段
２８        頂点部
２９        第１の固定箇所ガイド
３０        第２の固定箇所ガイド
３１        乾燥空気流
３２        第１の乾燥空気用排気口
３３        第２の乾燥空気用排気口
３４        外気
３６        第１のセンサ
３７        第２のセンサ
３８        第３のセンサ
３９        第１の信号
４０        第２の信号
４１        第３の信号
４２        第１の自動空気流量制御弁
４３        制御ユニット
４４        ステーケーブル群
４５        第２の自動空気流量制御弁
４６        緩衝装置
４９        排水用パイプ
１００      第１の端部
１１０      第２の端部
【図１】
2008519920.tif 000003
【図２】
2008519920.tif 000004
【図３】
2008519920.tif 000005
【手続補正書】
【提出日】平成19年8月1日(2007.8.1)
【手続補正１】
【補正対象書類名】特許請求の範囲
【補正対象項目名】請求項９
【補正方法】変更
【補正の内容】
【請求項９】
前記ステーケーブル構造体（１）を所定数のステーケーブル群（４４）で構成するとともに、複数の前記乾燥空気供給用パイプ（２１）で前記ステーケーブル群（４４）と同数の乾燥空気供給用パイプ群を形成し、又、これら乾燥空気供給用パイプ群を、第２の自動空気流量制御弁（４５）を備えた主管路を介して前記換気装置（２３）に接続するとともに、前記第２の自動空気流量制御弁（４５）を調整可能に構成したことを特徴とする請求項２〜８の何れか１項に記載の腐食防止システム。
【国際調査報告】
2008519920.tif 000006
2008519920.tif 000007